(57)【要約】【課題】アクチュエータを介して穀粒排出オーガを昇降及び旋回動作させるオーガ操作具を備えたコンバインにおいて、誤操作を起こし難く、且つ安価な構成のオーガ操作具を提供する。【解決手段】穀粒排出オーガ１３を昇降及び旋回動作させるオーガ操作具１９を、機体の左右方向に操作することにより穀粒排出オーガ１３の旋回操作を行なうトグルスイッチ２２と、該トグルスイッチ２２の操作方向に直交する方向に操作することにより穀粒排出オーガ１３の昇降操作を行なうシーソースイッチ２１とで構成すると共に、両スイッチ２１，２２を、連続して形成された二つの面１８ａ，１８ｂに隣接（分離）して設けた。【選択図】図５
2010081909.tif 000002
【特許請求の範囲】
【請求項１】
アクチュエータ（１６，１７）を介して穀粒排出オーガ（１３）を昇降及び旋回動作させるオーガ操作具（１９）を備えたコンバインにおいて、前記オーガ操作具（１９）を、機体の左右方向に操作することにより穀粒排出オーガ（１３）の旋回操作を行なうトグルスイッチ（２２）と、該トグルスイッチ（２２）の操作方向に直交する方向に操作することにより穀粒排出オーガ（１３）の昇降操作を行なうシーソースイッチ（２１）とで構成すると共に、両スイッチ（２１，２２）を隣接して設けたことを特徴とするコンバイン。
【請求項２】
前記両スイッチ（２１，２２）を、連続して形成された二つの面（１８ａ，１８ｂ）に分離して設けた請求項１に記載のコンバイン。
【発明の詳細な説明】
【技術分野】
【０００１】
本発明は、アクチュエータを介して穀粒排出オーガを昇降及び旋回動作させるオーガ操作具を備えたコンバインに関する。
【背景技術】
【０００２】
従来のコンバインでは、穀粒タンク内に一時的に貯留された穀粒を機外に排出する穀粒排出オーガの昇降や旋回作動を行わせるアクチュエータとして、油圧シリンダや電動モータを備えており、これら油圧シリンダの伸縮動作や電動モータの回転動作を、単一の手動操作具である手動十字レバーを介して行なえるように構成したものが知られている（例えば、特許文献１参照）。
【特許文献１】特開２００７−１５９５１９号公報（第５−６頁、図１−図３）
【発明の開示】
【発明が解決しようとする課題】
【０００３】
しかし、上述した従来のものは、単一の手動操作具である手動十字レバーによって穀粒排出オーガの異なる動作、即ち穀粒排出オーガの昇降と旋回動作を行なわせるものであり、誤操作を起こしやすいといった潜在的な不具合を有していた。また、前記手動十字レバーは、高い防水性と防塵性を要求されるのでコストが高くなるといった欠点も有していた。
【課題を解決するための手段】
【０００４】
本発明は、上記課題を解決することを目的としたものであって、アクチュエータを介して穀粒排出オーガを昇降及び旋回動作させるオーガ操作具を備えたコンバインにおいて、前記オーガ操作具を、機体の左右方向に操作することにより穀粒排出オーガの旋回操作を行なうトグルスイッチと、該トグルスイッチの操作方向に直交する方向に操作することにより穀粒排出オーガの昇降操作を行なうシーソースイッチとで構成すると共に、両スイッチを隣接して設けたことを第１の特徴としている。
そして、前記両スイッチを、連続して形成された二つの面に分離して設けたことを第２の特徴としている。
【発明の効果】
【０００５】
請求項１の発明によれば、アクチュエータを介して穀粒排出オーガを昇降及び旋回動作させるオーガ操作具を備えたコンバインにおいて、前記オーガ操作具を、機体の左右方向に操作することにより穀粒排出オーガの旋回操作を行なうトグルスイッチと、該トグルスイッチの操作方向に直交する方向に操作することにより穀粒排出オーガの昇降操作を行なうシーソースイッチとで構成すると共に、両スイッチを隣接して設けたことによって、穀粒排出オーガの昇降と旋回動作とを、スイッチ形状が異なり、且つ操作形態の異なるシーソースイッチとトグルスイッチで以って別々に行なうことができるので、従来の手動十字レバーのような誤操作を起こし難くなり、しかも両スイッチが従来の手動十字レバーに比べて安価であることから総合的なコストの低減も図れる。
そして、請求項２の発明によれば、前記両スイッチを、連続して形成された二つの面に分離して設けたことによって、更にオーガ操作具の誤操作を起こし難くすることができる。
【発明を実施するための最良の形態】
【０００６】
次に、本発明の実施の形態を図面に基づいて説明する。図１及び図２は、コンバイン１の側面図と平面図であって、コンバイン１は、穀稈を刈取る前処理部２と、該前処理部２で刈取った穀稈から穀粒を脱穀し、且つ、この穀粒を選別する脱穀部３と、該脱穀部３で
選別した穀粒を一時的に貯留する穀粒タンク４と、脱穀された後の排藁を切断処理するカッタ装置５と、走行部である左右一対のクローラ走行装置６と、運転席７及びマルチステアリングレバー８等の各種操作具やメータ類を設けた操縦部９を備えている。
【０００７】
そして、穀粒タンク４内に一時的に貯留された穀粒は、穀粒タンク４の後側下部に固設した固定パイプ１１と、この固定パイプ１１に回動自在に連結した縦パイプ１２と、該縦パイプ１２の上端に固設して縦パイプ１２と一体に回動（旋回）すると共に、上下方向に起伏自在（上下昇降可能）に設けた穀粒排出オーガ１３を経由して機外に排出される。更に詳しく説明すると、穀粒タンク４の底部には、前後方向を向く図示しない第一螺旋搬送体を配設してあり、この第一螺旋搬送体によって固定パイプ１１まで搬送した穀粒を、上述の縦パイプ１２及び穀粒排出オーガ１３に内装されている第二螺旋搬送体と第三螺旋搬送体に引き継いで機外に排出できるように構成している。
【０００８】
また、穀粒排出オーガ１３は、この穀粒排出オーガ１３と縦パイプ１２との間に介設した油圧アクチュエータであるオーガ昇降シリンダ１６の伸縮に応じて昇降（起伏）作動すると共に、縦パイプ１２を回動させる電動アクチュエータであるオーガ旋回モータ１７の正逆転駆動に応じて旋回作動する。尚、穀粒タンク４の底部に配設した第一螺旋搬送体には、図示しないベルト伝動装置を介してエンジンＥの動力が入力されると共に、この動力の断接を、穀粒排出クラッチ（ベルトテンション式クラッチ）を作動させる排出クラッチモータの正逆転駆動により行なっている。
【０００９】
そして、図３に示すように、コンバイン１の操縦部９に搭乗したオペレータＭを基準にすると、穀粒排出オーガ１３の格納位置Ａからの左旋回動作は、
1222926851015_0
左リミット位置Ｌで機械的に規制され、一方格納位置Ａからの右旋回動作は、右リミット位置Ｒで機械的に規制されるようになっている。
【００１０】
また、左リミット位置Ｌ〜右リミット位置Ｒの間、即ち穀粒排出オーガ１３の旋回領域θには、穀粒排出オーガ１３を格納する格納位置Ａ、運転席７の直上位置である運転席位置Ｂ、機体の進行方向に対して右直角方向に穀粒排出オーガ１３を延出させる右方向排出位置Ｃ、及び機体後方に穀粒排出オーガ１３を延出させる後方向排出位置Ｄ等の基準位置を設定してあり、上述した穀粒排出オーガ１３の格納位置Ａ〜右方向排出位置Ｃの間においては、穀粒排出オーガ１３が穀粒タンク４やオペレータＭと接触することを回避すべく、当該穀粒排出オーガ１３の下降禁止範囲Ｆを設定している。
【００１１】
そして、図４及び図５は、操縦部９の側面図と斜視図であって、運転席７の後方には、穀粒排出オーガ１３の昇降や旋回作動、及び穀粒の排出動作を行わせる操作具を集中配置したオーガ操作パネル１８を設けている。このオーガ操作パネル１８の左側（運転席７の左後方）には、上述したアクチュエータ１６，１７を介して穀粒排出オーガ１３を昇降及び旋回動作させるオーガ操作具１９を配設すると共に、該オーガ操作具１９に隣接させて
穀粒排出オーガ１３を所定の位置に自動旋回スイッチと、穀粒排出オーガ１３を任意の穀粒排出位置から所定の格納位置Ａへ自動的に旋回復帰させる自動格納スイッチとを兼ねる自動スイッチ２０ａ、及び穀粒タンク４内の穀粒をトラック等の運搬車の貯留タンクに排出するための穀粒排出クラッチスイッチ２０ｂを配設している。
【００１２】
更に詳しく説明すると、オーガ操作具１９は、穀粒排出オーガ１３の昇降操作を行なうシーソースイッチ２１と穀粒排出オーガ１３の旋回操作を行なうトグルスイッチ２２からなり、該トグルスイッチ２２は、機体の左右方向に操作することにより穀粒排出オーガ１３の旋回動作を可能にする一方、シーソースイッチ２１は、前記トグルスイッチ２２の操作方向に直交する方向に操作することにより穀粒排出オーガ１３の昇降動作を可能にしている。そして、前記両スイッチ２１，２２を、連続して曲げ形成されたオーガ操作パネル１８の上面１８ａと略垂直面１８ｂ、即ち連続して形成された二つの面１８ａ，１８ｂに隣接（分離）して設けてあり、それによって、穀粒排出オーガ１３の昇降と旋回動作とを、スイッチ形状が異なり、且つ操作形態（操作概念）の異なるシーソースイッチ２１とトグルスイッチ２２で以って別々に行なうことができるので、従来の手動十字レバーのような誤操作を起こし難くなり、しかも両スイッチ２１，２２が従来の手動十字レバーに比べて安価であることから総合的なコストの低減も図れる。そして、前記両スイッチ２１，２２を、連続して形成された二つの面１８ａ，１８ｂに分離して設けたことによって、更にオーガ操作具１９の誤操作を起こし難くすることができる。
【００１３】
尚、上述したオーガ操作具１９を構成するシーソースイッチ２１とトグルスイッチ２２は、オーガ操作パネル１８を形成する上面１８ａと略垂直面１８ｂの何れか一方の同一平面に隣接して設けてもよく、その場合もオーガ操作具１９の誤操作を起こし難くすることができる。また、本発明のコンバイン１は、穀粒排出オーガ１３の昇降や旋回作動を行わせるアクチュエータ１６，１７と、図示しない穀粒排出クラッチを作動させるアクチュエータを動作制御するオーガ排出制御手段として、マイクロコンピュータ（ＣＰＵ、ＲＯＭ、ＲＡＭ等を含む）を用いて構成される電子制御ユニットを機体側に設けてあり、この電子制御ユニットに、オーガ操作具１９を構成するシーソースイッチ２１とトグルスイッチ２２の操作信号が入力されるようになっている。
【図面の簡単な説明】
【００１４】
【図１】コンバインの側面図。
【図２】コンバインの平面図。
【図３】穀粒排出オーガの旋回範囲を示す概略平面図。
【図４】操縦部の側面図。
【図５】操縦部の斜視図。
【符号の説明】
【００１５】
１３    穀粒排出オーガ
１６    アクチュエータ（オーガ昇降シリンダ）
１７    アクチュエータ（オーガ旋回モータ）
１８ａ  オーガ操作パネルの上面
１８ｂ  オーガ操作パネルの略垂直面
１９    オーガ操作具
２１    シーソースイッチ
２２    トグルスイッチ
【図１】
2010081909.tif 000003
【図２】
2010081909.tif 000004
【図３】
2010081909.tif 000005
【図４】
2010081909.tif 000006
【図５】
2010081909.tif 000007